(57)【要約】【課題】複合素材の編集から放送までの処理を簡単かつ短時間に効率良く行なえるようにするとともに、操作者の負担を大幅に軽減し、しかも放送すべき複合素材の種類が増えてもこれら複合素材を記憶するための記憶容量の削減を図ることが可能な番組サーバ装置を提供する。【解決手段】ビデオサーバにおいて、複合素材の登録要求が発生した場合に、組み合わせるべく複数の番組素材を特定する複合素材ＩＤのみをメモリ１４２に記録し、マスターＡＰＣから複合素材ＩＤを含めた再生指令がＬＡＮインタフェース１４４を介して入力された場合に、複合素材ＩＤを利用してメモリ１４２中の該当する複数の番組素材を読み出し、複数の番組素材を組み合わせて複合素材を生成して再生出力するようにしている。【選択図】      図２
2008072644.tif 000002
【特許請求の範囲】
【請求項１】
記録媒体に記録される複数の番組素材信号をそれぞれ第１の素材ＩＤに対応付けて管理する番組サーバ装置において、
前記記録媒体中の前記複数の番組素材信号の少なくとも２つを任意に組み合わせた複合素材信号の登録要求が発生したとき、組み合わせるべく複数の番組素材信号を特定する第２の素材ＩＤを前記記録媒体に記録する登録手段と、
前記第２の素材ＩＤを含めた再生指示信号が入力されたとき、前記第２の素材ＩＤにより特定される複数の番組素材信号を前記記録媒体から読み出し、該複数の番組素材信号を組み合わせて複合素材信号を生成して再生出力する再生制御手段とを具備したことを特徴とする番組サーバ装置。
【請求項２】
記録媒体に記録される複数の番組素材信号をそれぞれ第１の素材ＩＤに対応付けて管理する番組素材管理方法において、
前記記録媒体中の前記複数の番組素材信号の少なくとも２つを任意に組み合わせた複合素材信号の登録要求が発生したとき、組み合わせるべく複数の番組素材信号を特定する第２の素材ＩＤを前記記録媒体に記録し、
前記第２の素材ＩＤを含めた再生指示信号が入力されたとき、前記第２の素材ＩＤにより特定される複数の番組素材信号を前記記録媒体から読み出し、該複数の番組素材信号を組み合わせて複合素材信号を生成して再生出力するようにしたことを特徴とする番組素材管理方法。
【発明の詳細な説明】
【技術分野】
【０００１】
この発明は、例えば放送番組で使用する映像／音声等の素材（コンテンツ）をそれぞれ素材ＩＤ（素材識別情報）に対応付けてメモリ上で管理する番組サーバ装置及び番組素材管理方法に関する。
【背景技術】
【０００２】
周知のように、例えばＴＶ放送やラジオ放送の番組素材を送出する番組送出システムにあっては、番組素材を記録し、任意のタイミングで番組素材を再生するビデオサーバが使用されている。
【０００３】
ところで、このようなシステムでは、ＴＶ放送波により放送すべき番組素材をＶＴＲ（Video Tape Recorder）等の映像用編集装置により編集し、この編集した番組素材をビデオサーバに転送して記録するようにしている。また、ＴＶ放送波により放送する番組素材と同じ内容の番組素材をラジオ放送波により放送する場合に、該番組素材を音声用編集装置により編集し、この編集した番組素材をビデオサーバに転送してＴＶ放送波用の番組素材と別の記憶領域に記録するようにしている。
【０００４】
ところが、上記システムでは、番組素材や複数の番組素材の組み合わせから成る複合素材の編集及び放送までの作業の大半を人手により行われるため、番組編集に多くの手間と時間がかかるとともに、人為的ミスも発生しやすい。また、番組素材や複合素材の種類が多くなった場合には、それに応じた記憶領域も必要となるため、装置の大型化を招くことになる。
【０００５】
なお、従来では、放送番組を構成する複数の番組素材データそれぞれ管理情報に対応付けてメモリに蓄積しておき、放送時に、メモリから該当する複数の番組素材データを順次読み出して多重出力する技術が考えられている（例えば、特許文献１）。
【特許文献１】特開２０００−２７８２３３公報
【発明の開示】
【発明が解決しようとする課題】
【０００６】
ところが、上記技術では、各ＶＴＲごとに編集された複数の番組素材データや各ＶＴＲで組み合わせられた複合素材データをそれぞれ管理情報に対応付けてメモリに蓄積しておくものであり、番組素材データや複合素材データを編集するＶＴＲの台数が増えると、その分メモリ容量を圧迫することになり、装置の大型化を招くことになる。
【０００７】
そこで、この発明の目的は、複合素材の編集から放送までの処理を簡単かつ短時間に効率良く行なえるようにするとともに、操作者の負担を大幅に軽減し、しかも放送すべき複合素材の種類が増えてもこれら複合素材を記憶するための記憶容量の削減を図ることが可能な番組サーバ装置及び番組素材管理方法を提供する。
【課題を解決するための手段】
【０００８】
上記目的を達成するために、この発明に係る番組サーバ装置は、記録媒体に記録される複数の番組素材信号をそれぞれ第１の素材ＩＤに対応付けて管理する番組サーバ装置において、記録媒体中の複数の番組素材信号の少なくとも２つを任意に組み合わせた複合素材信号の登録要求が発生したとき、組み合わせるべく複数の番組素材信号を特定する第２の素材ＩＤを記録媒体に記録する登録手段と、第２の素材ＩＤを含めた再生指示信号が入力されたとき、第２の素材ＩＤにより特定される複数の番組素材信号を記録媒体から読み出し、該複数の番組素材信号を組み合わせて複合素材信号を生成して再生出力する再生制御手段とを備えるようにしたものである。
【０００９】
この構成によれば、記録媒体中の複数の番組素材信号の少なくとも２つを任意に組み合わせた複合素材信号の登録要求が発生した場合に、組み合わせるべく複数の番組素材信号を特定する第２の素材ＩＤのみが記録媒体に記録されることになるため、複合素材信号の種類の追加に伴う記録媒体の記憶容量を削減できる。また、自動番組送出装置から第２の素材ＩＤを含めた再生指示信号が入力された場合に、第２の素材ＩＤを利用して記録媒体中の該当する複数の番組素材信号を読み出し、複数の番組素材信号を組み合わせて複合素材信号を生成して再生出力するようにしているので、複合素材信号の編集から放送までの処理を簡単かつ短時間に効率良く行なえるようになり、操作者の負担を大幅に軽減できるとともに、記録媒体への番組素材信号の記録後にいつでも、記録媒体中の任意の番組素材信号を組み合わせて切れ目のない複合素材信号を作成できる。さらに、自動番組送出装置側にとっては複合素材の意識は不要であり、煩雑になることが無い。
【発明の効果】
【００１０】
以上詳述したようにこの発明によれば、複合素材の編集から放送までの処理を簡単かつ短時間に効率良く行なえるようにするとともに、操作者の負担を大幅に軽減し、しかも放送すべき複合素材の種類が増えてもこれら複合素材を記憶するための記憶容量の削減を図ることが可能な番組サーバ装置及び番組素材管理方法を提供することができる。
【発明を実施するための最良の形態】
【００１１】
以下、この発明の実施形態について図面を参照して詳細に説明する。
【００１２】
図１は、この発明の一実施形態となる番組素材編集システムの構成を示すもので、１１はマトリクススイッチャーである。なお、ここでは説明を簡単にするため、マトリクススイッチャー１１の入力チャンネル（系統）数を２チャンネルとし、出力チャンネル数を１チャンネルとする。
【００１３】
この実施形態では、マトリクススイッチャー１１の第１入力チャンネルにＶＴＲ１２を接続し、第２入力チャンネルにＤＶＤ(Digital Versatile Disk)レコーダ１３を接続し、出力チャンネルにビデオサーバ１４を接続している。
【００１４】
ビデオサーバ１４の出力端子には、モニタ／スピーカ１５が接続される。上記マトリクススイッチャー１１、ＶＴＲ１２、ＤＶＤレコーダ１３及びビデオサーバ１４は、制御ＬＡＮ(Local Area Network)１６を介して端末装置１７に接続される。
【００１５】
上記端末装置１７は、ＶＴＲ１２及びＤＶＤレコーダ１３に対し、ユーザ指定入力操作による制御コマンドに従って任意の映像素材及び任意の音声素材を送出させ、マトリクススイッチャー１１に対し、制御コマンドに従って任意の入出力チャンネル間を接続させる。そして、ビデオサーバ１４に対し記録開始制御を行う。なお、制御コマンドには、いつ実行するかの旨を示すタイミング情報が含まれている。
【００１６】
また、ビデオサーバ１４には、マスターＡＰＣ（自動番組送出制御装置）１８が制御ＬＡＮ１９を介して接続される。
【００１７】
図２は、上記ビデオサーバ１４の概略構成を示すブロック図である。
【００１８】
ビデオサーバ１４において、データバス１４１上にはメモリ１４２、Ｉ／Ｏ（入力／出力）インタフェース１４３、ＬＡＮインタフェース１４４、ＣＰＵ１４５が接続される。ここで、メモリ１４２には、図３に示すように、予めＩ／Ｏインタフェース１４３を介して入力された複数の番組素材信号（素材Ａ，素材Ｂ）がそれぞれ素材ＩＤ及び複合素材ＩＤに対応付けて格納されている。
【００１９】
ＬＡＮインタフェース１４４には、端末装置１７からの制御コマンドとマスターＡＰＣ１８からの再生指令が入力される。この再生指令には、放送イベント時刻や送出すべき素材ＩＤが含まれている。
【００２０】
ＣＰＵ１４５は、ＬＡＮインタフェース１４４に入力された「複合素材登録」制御コマンドに基づいて、メモリ１４２上の該当する複数の番組素材を複合素材ＩＤに対応付けて管理する。また、ＬＡＮインタフェース１４４に入力された再生指令に基づいて、メモリ１４２から該当する複合素材ＩＤに対応する複数の番組素材を取り込み、これら複数の番組素材を複合素材に組み合わせてＩ／Ｏインタフェース１４３を介して送出する。
【００２１】
次に、上記構成における処理動作について説明する。図４は、端末装置１７の制御処理手順を示すフローチャートである。  
ビデオサーバ１４に対し番組素材の記録を行なう場合にオペレータは、端末装置１７を起動する。このとき、マトリクススイッチャー１１、ＶＴＲ１２、ＤＶＤレコーダ１３、ビデオサーバ１４は電源ＯＮの状態であるものとする。
【００２２】
すると、端末装置１７は、ＶＴＲ１２、ＤＶＤレコーダ１３に記録されている映像素材／音声素材のリストをディスプレイ１７１に表示する。そして、この状態でオペレータが収録を希望する映像素材／音声素材をキーボード／マウス１７２により選択指定すると、端末装置１７は上記選択指定された素材Ａ及び素材Ｂが記録されるＶＴＲ１２及びＤＶＤレコーダ１３に対し再生開始の制御コマンドを送出し、マトリクススイッチャー１１に対しＶＴＲ１２及びＤＶＤレコーダ１３とビデオサーバ１４とを接続させるための制御コマンドを送出し、ビデオサーバ１４に対し収録開始の制御コマンドを送出する。
【００２３】
これにより、ビデオサーバ１４のメモリ１４２に２種類の素材Ａ，Ｂが収録され、それぞれ別の素材ＩＤで管理される。
【００２４】
次に、端末装置１７は、ビデオサーバ１４のメモリ１４２に記録されている番組素材のリストをディスプレイ１７１に表示する（ステップＳＴ４ａ）。そして、この状態でオペレータが登録を希望する番組素材をキーボード／マウス１７２により選択指定、つまり「登録ボタン」を押下すると、端末装置１７はステップＳＴ４ｂからステップＳＴ４ｃに移行して、ここでビデオサーバ１４に対し、「複合素材登録」制御コマンドを送信する。
【００２５】
ビデオサーバ１４は、複数の元素材と１つ複合素材を関連付け、複合素材に対し１つの複合素材ＩＤを付与する。
【００２６】
ビデオサーバ１４では、複合素材を元々の複数素材（複数素材ＩＤ：Ｃ）の集まり、つまり素材Ａ，Ｂとして管理し、マスターＡＰＣ１８からの送出制御時には、１つの複合素材として、単一素材ＩＤをもつ番組、つまり素材Ｃとして管理する。マスターＡＰＣ１８にはあらかじめ別ルートでＩＤ情報を連絡しておく。
【００２７】
そして、システム運用時に、マスターＡＰＣ１８からビデオサーバ１４に対し放送イベント時刻及び複合素材ＩＤを含む再生指令が送出される。ビデオサーバ１４において、マスターＡＰＣ１８から送出された再生指令は、ＬＡＮインタフェース１４４によって、ＣＰＵ１４５に通知される。ＣＰＵ１４５は、再生指令の内容からメモリ１４２に格納された該当する複数の番組素材を読み出し、放送イベント時刻に応じて読み出した番組素材を組み合わせて放送すべき番組としてＩ／Ｏインタフェース１４３に転送する。これで複合素材が送出されることになる。
【００２８】
実際の運用では例えば、Ａ：アニメ番組のオープニング、Ｂ：番組本編として、Ａの部分は、一度ビデオサーバ１４に記録しておけば、後は毎回Ａを使い回し、Ｂだけ収録／差し替えて複合素材登録することで、効率的な番組収録・送出の運用が可能となる。
【００２９】
以上のように上記実施形態では、ビデオサーバ１４において、複合素材の登録要求が発生した場合に、組み合わせるべく複数の番組素材を特定する複合素材ＩＤのみをメモリ１４２に記録し、マスターＡＰＣ１８から複合素材ＩＤを含めた再生指令がＬＡＮインタフェース１４４を介して入力された場合に、複合素材ＩＤを利用してメモリ１４２中の該当する複数の番組素材を読み出し、複数の番組素材を組み合わせて複合素材を生成して再生出力するようにしている。
【００３０】
従って、複合素材の種類の追加に伴うメモリ１４２の記憶容量を削減でき、さらに複合素材の編集から放送までの処理を簡単かつ短時間に効率良く行なえるようになり、オペレータの負担を大幅に軽減できるとともに、メモリ１４２への番組素材の記録後にいつでも、メモリ１４２中の任意の番組素材を組み合わせて切れ目のない複合素材を作成できる。さらに、マスターＡＰＣ１８側にとっては複合素材の意識は不要であり、煩雑になることが無い。
【００３１】
なお、この発明は上記実施形態に限定されるものではない。例えば、上記実施形態では、２つの番組素材Ａ，Ｂを組み合わせる例について説明したが、さらに組み合わせる番組素材の数を増加しても同様に実施可能である。
【００３２】
その他、番組素材編集システムの構成、ビデオサーバの構成、メモリの記憶内容、複合素材の送出手順等についても、この発明の要旨を逸脱しない範囲で種々変形して実施できる。
【図面の簡単な説明】
【００３３】
【図１】この発明の一実施形態となる番組素材編集システムの構成を示すブロック図。
【図２】図１に示したビデオサーバの要部構成を示すブロック図。
【図３】図２に示したメモリの記憶内容の一例を示す図。
【図４】図１に示した端末装置の制御手順を示すフローチャート。
【符号の説明】
【００３４】
１１…マトリクススイッチャー、１２…ＶＴＲ、１３…ＤＶＤレコーダ、１４…ビデオサーバ、１５…モニタ／スピーカ、１６，１９…制御ＬＡＮ、１７…端末装置、１８…マスターＡＰＣ、１４１…データバス、１４２…メモリ、１４３…Ｉ／Ｏインタフェース、１４４…ＬＡＮインタフェース、１４５…ＣＰＵ、１７１…ディスプレイ、１７２…キーボード／マウス。
【図１】
2008072644.tif 000003
【図２】
2008072644.tif 000004
【図３】
2008072644.tif 000005
【図４】
2008072644.tif 000006